(57)【要約】【課題】買い物袋を任意形状取っ手に巻き付け全体形状に配慮した専用カバーで覆い全体形状がキャラクターや任意造形に見立てられ、使用しない時のマスコットとして吊り下げられる一体型任意形状取っ手付買い物袋を提供する。【解決手段】普及している薄手で柔軟性の有る素材を使用した買い物袋と強度と柔軟性のある材料を使用し、連結し任意形状を付加した取っ手は買い物後、持ち運ぶ時に手や指の重量負担を軽減でき、収納時には芯材として使用し、連結された買い物袋をたたみ巻き付け、連結され全体形状に配慮した専用カバーで覆い、全体形状をキャラクターや任意造形として表現の自由度を増やしマスコット化し易くできる。【選択図】図１
2009142460.tif 000002
【特許請求の範囲】
【請求項１】
買い物袋と接続一体化し取っ手の握り部分に買い物袋を巻きつけて全体形状に配慮した専用カバーで収納でき、巻き付け後の全体形状はキャラクターや造形物などの形状に見立て易くし多様化できるように取っ手外観を任意形状に汎用することができる。
【請求項２】
携帯性を重視するため全体形状に配慮した専用カバーは紛失防止の役目をし、またキャラクターや任意造形の一部として図柄などを配し全体形状がキャラクターや指定造形に見え易くする。
【請求項３】
任意形状取っ手が複数の場合、取っ手本体の片側連結部分と買い物袋の片方の手提げ部分は接続され、袋のもう片方は任意形状取っ手別体に接続され買い物した物を詰める時、生活者の自由度と使い勝手を良くする。持ち運ぶ時や収納時は任意形状取っ手同士を簡単に組み合わせ一体化させて、各部品の紛失防止に役立つと共に、握り易く、運び易く、携帯し易く、使い勝手を良くする。
【発明の詳細な説明】
【技術分野】
【０００１】
本発明は生活者の利便性と所有形態の多様性を考察した結果、考案されたもので買い物袋を使用する時の機能を満たし、運ぶ時に重いものでも手や指の負担を軽減する取っ手を連結し、使用しない時は接続されている全体形状に配慮された専用カバーでコンパクトに収納でき、いつでも簡単に取り出せるように吊り下げ式にした複合技術の集積であり、全体の外観形状はキャラクターや指定造形などに設計段階で多様化を可能にする。
【背景技術】
【０００２】
買い物袋の形状は概ね２箇所に同素材で取っ手を配したものが普通であり、携帯性を持たせたケース付のものもあり、また大きな物を買った時に待ち易いようにつけてくれる取っ手などもあるが、それらを一つにまとめたものは無く生活者の要望が今後、多くなり必要とされると思われる。また使わない時などの形状はブランドのロゴを配したものや他の鞄やバックなどに入れておける程度のものが多く実用的ではあるが、あまり積極的に持っていたいとは思われなく、普及に苦了しているのではないかと推測される。本発明はそれらの課題を解決するものであり、生活者の要望を満たすもので、使用しない時の他の鞄やバックに、その任意外観形状からマスコットとして吊り下げておけ、使用するときは連結した専用カバーを解き買い物袋としての機能を満たし、買い物後荷物を運ぶ時は手や指に重量負担を軽減するよう接続した専用取っ手で運べ、生活者の買い物袋に期待する要点を備えたものである。  
【０００３】
また既存の取っ手は無償で買い物後にもらえるが、一時の簡易的な要素を主に作られており常時持っていたいと言うものではない。本発明の専用取っ手は単一部品であれ複数部品でも簡単に組み合わせ一体化され、手で握った時、手の内側の微妙な空間形状に近づけ持ち心地を良くするよう、人間工学的に形状を具現化し生活者が常時持っていられるものとして設計する。
【０００４】
使用しない時のカバーについては、本体と分離しているカバーの機能が主体であり、ブランドのロゴやマーク、または総柄の文様を施したものがほとんどであり、生活者の多様化する要望を満たせなく、また本体と分離したケースは紛失の可能性も有り不便であるのが現状である。本発明の接続されている全体形状に配慮した専用カバーは紛失防止の役目もはたし、最も重要な外観形状の一部として役立てられるようキャラクターや指定造形の一部分として見立てられるようにしマスコットとして吊り下げ易く携帯性に違和感を与えないよう配慮された。
【特許文献１】特許出願平１０−２６８８９９
【特許文献２】実用新案出願２００７−５１５６
【特許文献３】実用新案出願平８−９２１１
【発明の開示】
【発明が解決しようとする課題】
【０００５】
本発明は既に市場に多くある買い物袋やケース付携帯買い物袋や買い物袋用取っ手など、生活者にとって買い物袋の機能、運ぶ時の手や指への重量負担軽減、使用しない時の吊り下げておける携帯性など一連でまとめ上げられたものは市場に無く、買い物袋と一体化された専用取っ手との接続をし、買い物時の収納性を解決すること、買い物終了後の持ち運ぶ時の手や指にかかる重量負担を軽減する形状と、使用後の携帯性を重視し専用取っ手に買い物袋を巻きつけて解けないように連結され、全体形状のキャラクターや造形物に見立てられるよう配慮した専用カバーで止められ、さらには専用吊り下げ部品を有することで、生活者の何時でも、どこでも手軽に使用できる買い物袋の形態を満たすことにある。
【課題を解決するための手段】
【０００６】
買い物袋と一体化された専用取っ手との接続を異素材の買い物袋自体の片方の取っ手で固定し、袋自体の片方の取っ手で買い物時の収納性をよくするため自由に手で広げられるようにし、買い物終了後の持ち運ぶ時の中身を見えにくくするよう買い物袋開口面積を小さく狭くでき、また手や指にかかる重量を軽減する形状とするため片手で握り易いよう取っ手を一体化させ、さらに使用後の携帯性を重視し、専用取っ手に買い物袋を巻きつけて解けないように連結した全体形状に配慮した専用カバーで止められ、専用吊り下げ部品を有することで、収納時の全体形状がキャラクターや指定形状のマスコット化され生活者の要望する、何時でも、どこでも手軽に使用できる買い物袋の課題が解決できる。
【発明の効果】
【０００７】
本発明は買い物袋と任意形状取っ手を単一でも複数部品でも連結一体化し,使用するときは買い物袋の機能を満たし使用しない時は任意形状取っ手に買い物袋を巻きつけ連結された全体形状に配慮した専用カバーで買い物袋が解けるのを防止しコンパクトで専用吊り下げ部品で携帯し易くすることで任意形状の自由度が向上し全体形状をキャラクターや指定造形に見立てることができ、生活者の外観に対する多様な要望を満たすことができる。
【発明を実施するための最良の形態】
【０００８】
単一であれ複数であれ任意形状取っ手に買い物袋を巻きつけ後、連結された全体形状に配慮した専用カバーで覆い買い物袋が入っていることを思わせない形態となり、買い物袋は任意形状取っ手と連結一体化し全体の外観形状を任意形状であるキャラクターや造形物の形状に見立て易くすることを最良の形態とする。
【実施例１】
【０００９】
図１は基本となる任意形状取っ手（符号１）に、買い物袋を巻きつけて収納状態（記号ア-１）と買い物袋（ア-２）状態を表した斜視図で握り部分（符号２）は手を握り締めた時の手の内側にできる隙間形状とほぼ同等の形状を示し個人差はあっても、買い物時の荷物を詰め終わり運ぶ時の手にかかる重量負担を軽減するよう人間工学に基づいた造形を施してある。
【００１０】
図１の符号５は収納時の買い物袋を覆う全体形状に配慮した専用カバーであり、任意形状に合わせた図柄やデザインを生産時に施せるようになっており統一性と吊り下げ時のマスコット的要素の効果を具現化する。
【００１１】
図２は任意形状を例として作図したものでキャラクターや指定造形への汎用性を意識し考案されたものであり、外観形状の差別化を可能とする特徴の例である。
【００１２】
図３は任意形状の例で買い物袋状態にした作図である。袋の取っ手部分の長さを生産時に調整することで肩にかかり易くもできる。
【００１３】
図４は収納時（イ-１）から買い物袋状態（イ-６）までの図解説明の一連図である。また収納する時は図解説明をイ-６からイ-１へ逆方向に進めれば買い物袋を畳みながら専用カバーで止め、収納状態になりマスコットとしての形状となる。  
【実施例２】
【００１４】
図５は複数取っ手付買い物袋の収納時の斜視図と複数取っ手の取っ手本体（記号１-Ａ）と取っ手別体（記号１-Ｂ）の斜視図である。符号２は人間工学的に手を握ったときの幅に合うようにした握り部分である。
【００１５】
図６は複数の取っ手を一体化し買い物袋を巻き付け全体形状に配慮した専用カバーで覆った収納状態（記号ウ）と、収納時から機能である買い物袋状態（記号ウ‐４）までの図解説明の一連図である。また収納する時は図解説明を逆方向に進めれば買い物袋を畳み、専用カバーで止めれば収納状態になりマスコットとしての形状となる。取っ手本体（図５、１-Ａ）に取っ手別体（図５、１-Ｂ）を買い物袋の間にもぐりこますことで（記号ウ‐２）取っ手本体に取っ手別体を格納でき取っ手は一体となり、握り部分は手を握り締めた時の手の内側にできる隙間形状とほぼ同等の形状を示し個人差はあっても、買い物時の荷物を詰め終わった時の手にかかる重量負担を軽減する機能には問題は無い形状となる。また収納した中身が袋の口が狭まることで見えにくくする効果もある。
【００１６】
図７は任意形状（記号エ）の例として図柄を当てはめた複数取っ手付買い物袋の収納時の例であり全体形状がキャラクターや指定造形の形状に見たられるようにした一例である。
【実施例３】
【００１７】
符号６の吊り下げ紐は使用しないときの携帯性を重視した一例として紐を掲げたが、その他接続部品を使用しても、この発明の主旨とは関係なく、生活者に優しく便利な一体型任意形状取っ手付買い物袋を提供できる。
【産業上の利用可能性】
【００１８】
本発明の特徴である任意形状部分をキャラクターや指定造形にできることで汎用性を活かし、流通、売り場を含め、より多くの生活者の多様化する要望満たせるよう量産時に要望の個別対応ができ、提供できる。
【図面の簡単な説明】
【００１９】
【図１】一体型任意形状取っ手付買い物袋の収納時のマスコット形状と使用時の斜視図
【図２】具体形状取っ手付買い物袋、収納時状態一例
【図３】具体形状取っ手付、買い物袋状態例
【図４】具体形状による使用方法説明一連図解
【図５】複数取っ手付買い物袋、斜視図
【図６】複数取っ手付買い物袋、使用方法説明一連図解
【図７】具体形状複数取っ手付買い物袋、収納時状態一例
【符号の説明】
【００２０】
１  任意形状取っ手
２  握り部分
３  任意形状に最も変化させられる部分
４  買い物袋
５  任意全体形状に配慮した専用カバー
６  吊り下げ部品
【図１】
2009142460.tif 000003
【図２】
2009142460.tif 000004
【図３】
2009142460.tif 000005
【図４】
2009142460.tif 000006
【図５】
2009142460.tif 000007
【図６】
2009142460.tif 000008
【図７】
2009142460.tif 000009